(57)【要約】【課題】例えば点滴等に用いる輸液バッグ等の輸液容器の口部に装着される口栓体に係り、穿刺針としてプラスチック瓶針を用いる場合にも容易に穿刺することができ、しかも穿刺針を引き抜いた後も液洩れが生じるのを良好に防止することのできる輸液装置を提供する。【解決手段】輸液容器１の口部２に装着した軟質の合成ゴム等よりなる口栓体３に穿刺針６を穿刺して上記輸液容器１内に薬液を注入し若しくは抽出する輸液装置において、上記口栓体３内に穿刺針挿入ガイド用の案内筒体７を、その一端側の開口部７０が外部に露出した状態で埋設させると共に、その案内筒体７の上記開口部７０と反対側の端部に、くちばし状の一対の閉止片７１、７２を上記案内筒体７と一体に設けたことを特徴とする。【選択図】　　　　図１
2004049598.tif 000002
【特許請求の範囲】
【請求項１】
輸液容器の口部に装着した軟質の合成ゴム等よりなる口栓体に穿刺針を穿刺して上記輸液容器内に薬液を注入し若しくは抽出する輸液装置において、上記口栓体内に穿刺針挿入ガイド用の案内筒体を、その一端側の開口部が外部に露出した状態で埋設させると共に、その案内筒体の上記開口部と反対側の端部に、くちばし状の一対の閉止片を上記案内筒体と一体に設けたことを特徴とする輸液装置。
【請求項２】
前記一対の閉止片の先端は、互いに食い違い状に、かつ前記案内筒体の軸線方向と平行な方向において一部が互いに重なり合うように構成されてなる請求項１記載の輸液装置。
【発明の詳細な説明】
【０００１】
【発明の属する技術分野】
本発明は、例えば点滴等に用いる輸液バッグ等の輸液容器の口部に装着される口栓体に関する。
【０００２】
【従来の技術】
従来、例えば点滴等に用いる輸液バッグ等の輸液容器１は、一般に図３に示すようにシート状もしくはフィルム状の合成樹脂を貼り合わせて袋状に形成し、あるいはチューブ状フィルムを袋状に形成して、その袋状の輸液容器１に溶着等で一体的に設けた筒状の口部２の端部開口部内に、軟質の合成ゴム等よりなる口栓体３を設けた構成であり、その口栓体３は例えば図のように上記口部２と剥離用カバー４との間に挟んで液密的に密着固定されている。上記口栓体３の材質としては、一般にブチルゴムやＳＢＲ等の加硫ゴムが多く用いられ、そのＪＩＳ硬度は例えば４０〜５５度程度、肉厚は約４〜６ｍｍ程度、直径は１５〜２０ｍｍ程度の短円柱状のものが使用されている。
【０００３】
そして上記輸液容器１内に薬液を注入する場合には、一端側が薬液容器（不図示）に連通する輸液チューブ５の他端にプラスチック瓶針やステンレス針等の穿刺針６を設け、その穿刺針６を口栓体３に穿刺して上記薬液容器内の薬液を上記チューブ５を介して輸液容器１内に注入する。なお、注入後は上記穿刺針６を口栓体３から引き抜き除去するもので、そのとき穿刺針６によって口栓体３に形成された孔は、軟質の合成ゴム等よりなる口栓体３の弾性復元力で閉塞される。
【０００４】
また上記輸液容器１から患者に薬液を注入する場合には、輸液チューブの一端側に穿刺針を、他端側に静脈針をそれぞれ設けた、いわゆる輸液セットが用いられ、上記穿刺針を口栓体に、また静脈針を患者の静脈等に穿刺して上記輸液容器１内の薬液を上記輸液チューブを介して患者に投与するものである。
【０００５】
上記の穿刺針としてステンレス針を用いた場合には、使用後廃棄する際に、輸液容器とステンレス針とを分離する必要があるが、プラスチック瓶針を用いた場合には、輸液容器と分離することなく、例えば上記チューブの途中部を切断することにより、輸液容器にプラスチック瓶針が刺さったままの状態で廃棄することができる利点がある。
【０００６】
ところが、上記の穿刺針６として特にプラスチック瓶針を用いる場合には、その穿刺部の外径が比較的太いため、口栓体を穿刺する際の穿刺抵抗が大きく穿刺しづらい。また輸液容器１内に薬液を注入した後は、上記のように穿刺針６を口栓体３から引き抜き除去して、穿刺針６によって口栓体３に形成された孔は、口栓体３の弾性復元力で閉塞するものであるが、穿刺針が太いと上記の孔が充分に閉塞されずに往々にして液洩れが生じる等の不具合があった。
【０００７】
【発明が解決しようとする課題】
本発明は上記の問題点に鑑みて提案されたもので、穿刺針としてプラスチック瓶針を用いる場合にも容易に穿刺することができ、しかも穿刺針を引き抜いた後も液洩れが生じるのを良好に防止することのできる輸液装置を提供することを目的とする。
【０００８】
【課題を解決するための手段】
上記の目的を達成するために本発明による輸液装置は、以下の構成としたものである。即ち、輸液容器の口部に装着した軟質の合成ゴム等よりなる口栓体に穿刺針を穿刺して上記輸液容器内に薬液を注入し若しくは抽出する輸液装置において、軸線方向の長さ寸法が口栓体の厚さ寸法よりも短く、かつ一端側が開口する略有底筒状の穿刺針挿入ガイド用の案内筒体を、上記口栓体内に埋設させて設け、上記案内筒体の開口側と反対側の端部に、常時は先端部が互いに接触して上記開口側と反対側の端部を閉塞するくちばし形の一対の閉止片を上記案内筒体と一体に設けたことを特徴とする。
【０００９】
【発明の実施の形態】
以下、本発明による輸液装置を、図に示す実施形態に基づいて具体的に説明する。図１（ａ）は本発明による輸液装置の一実施形態を示す縦断正面図、同図（ｂ）はその底面図であり、前記従来例と同様の機能を有する部材には同一の符号を付して説明する。
【００１０】
本実施形態の輸液装置は、前記従来例と同様に袋状の輸液容器１に一体的に設けた筒状の口部２の端部開口部内に、軟質の合成ゴム等よりなる口栓体３を設けたもので、その口栓体３の硬度や肉厚および外形寸法等は前記従来のものと略同様に形成されている。その口栓体３は、その周縁部の上下面に形成したリング状の凹部３ａ・３ｂ内において、上記口部２の端部開口部内と剥離用カバー４とに設けたリング状の突条２ａ・４ａ間に挟んで液密的に密着固定したもので、上記カバー４は上記口部２に対して図に省略した係合突起等により脱着可能に構成されている。
【００１１】
上記口栓体３内には、穿刺針挿入ガイド用の案内筒体７を、その一端側（図の場合は下側）の開口部７０が外部に露出した状態で埋設したもので、その案内筒体７は合成樹脂等により形成され、その案内筒体１０の内径は、通常使用されるプラスチック瓶針７が挿入可能な大きさに形成されている。また上記案内筒７の軸線方向（図で上下方向）の長さは、本実施形態においては口栓体３の厚さよりも短く形成され、その案内筒体７の上記開口部７０と反対側（図の場合は上側）には、口栓体３の厚さ寸法よりも薄い口栓体３の一部である肉薄の残留部３１が残るように構成されている。
【００１２】
また上記案内筒体７の上記開口部７０と反対側には、図１および図２に示すように、くちばし状の一対の閉止片７１・７２が案内筒体７と一体に設けられ、その閉止片７１・７２の先端部（自由端部）は、本実施形態においては図２（ｂ）に示すように互いに食い違い状に、かつ自由状態において一方の閉止片７２の先端が他方の閉止片７１の先端部近傍に接触して案内筒体７の上記開口部７０と反対側の端部が完全に閉塞されるように構成されると共に、案内筒体７の軸線方向と平行な方向においては、図２（ａ）および（ｂ）に示すように両閉止片７１・７２の一部が互いに重なり合うように構成されている。
【００１３】
上記両閉止片７１・７２は、穿刺針を挿入したときには開いて穿刺針の挿入を許容し、穿刺針を引き抜いたときには、閉止片７１・７２の弾性復元力等によって元の位置に復帰する構成である。
【００１４】
図中、７３は案内筒体７の上記開口部７０と反対側の端部外周に一体に設けた抜け止め用のフランジ部、７４は案内筒体１０の内周面に設けた穿刺針抜け止め係止用の突部で、その突部７４に、後述する穿刺針を案内筒体７内に挿入した際に該穿刺針の外周面に設けた突部が係合して穿刺針が抜け止め係止される構成である。
【００１５】
なお上記案内筒体７は、本実施形態においては図１（ｂ）に示すように口栓体３の周方向に略等間隔に３個設けたものであるが、その個数や配置構成等は適宜である。また案内筒体７の材質や成形方法等は適宜であるが、例えば射出成形等の型成形により製造すると、容易に量産することができる。この場合、口栓体３の材質としては、例えば射出成形ができるスチレン−ブタジエン系、スチレン−イソプレン系もしくはそれらに水素添加した樹脂等を使用することができる。あるいは、ＳＢＲ，ＩＲなどの合成ゴムを加熱プレス成形してもよい。また案内筒体７としては、例えばポリエチレン、ポリプロピレン等の合成樹脂を使用することができる。
【００１６】
さらに案内筒体７の成形手順等は適宜であり、例えば案内筒体７を予め形成しておき、それを口栓体３を成型する際にその成形型内に配置してインサート成形する。あるいは案内筒体７を２つ割りの割型で形成し、その一方の割型内に案内筒体７を残したままで他方の割型を交換して口栓体３を連続的に形成することも可能である。また例えば口栓体３に案内筒体１０の挿入用の凹部を予め形成してから、その凹部内に別途射出成形等で形成した案内筒体７を挿入固定するようにしてもよく、その固定方法としては圧入または凹凸係合もしくは接着あるいは溶着等その他適宜である。
【００１７】
上記のように構成された輸液装置において、例えば輸液容器１内に薬液を注入するためのプラスチック瓶針等の穿刺針６を口栓体３に穿刺するに当たっては、その穿刺針６の先端を図３（ａ）のように案内筒体７に挿入した後、同図（ｂ）のように口部２内に押し込めばよい。その際、上記案内筒体７によって、それをガイドにして穿刺針６を容易に挿入することができると共に、穿刺針６の挿入動作で案内筒体７の閉止片７１・７２が簡単に開いて殆ど抵抗なく容易に口栓体３に穿刺することができる。
【００１８】
なお穿刺針６を上記図３（ｂ）の状態まで挿入する際、本実施形態においては穿刺針６に設けた抜け止め係止用の突部起６１が、案内筒体７の内周面に設けた前記の突起７４に一旦当接した後、それを乗り越えて抜け止め係合し、それによって穿刺針６が不用意に抜け落ちるのが防止される。
【００１９】
また穿刺針６を上記図３（ｂ）のように挿入したとき、前記閉止片７１・７２および本実施形態においては上記口栓体３の肉薄残留部３１が押し拡げられた後に、それらが弾性復元力で穿刺針６の周面に密着して輸液容器１内の薬液が口栓体３と穿刺針６との間から外部に洩れるのが防止されると共に、穿刺針６が抜け落ちるのを更に良好に防止防止することができる。
【００２０】
そして上記のようにして輸液容器１内に所定量の薬液が注入されたところで、上記穿刺針６を口栓体３から引き抜くもので、そのとき閉止片７１・７２は、その弾性復元力で図４のように閉止片７１・７２の先端部が互いに接触した元の状態に復帰すると共に、輸液容器１内に注入した薬液Ｍの圧力で上記の接触圧が増し輸液容器１内の薬液が外部に洩れるのを防ぐことができる。特に、図示例のように閉止片７１・７２の先端部が、案内筒体７の軸線方向と平行な方向において互いに重なるようにすると、輸液容器１内に注入した薬液Ｍの圧力で両閉止片７１・７２の接触圧が更に増大して輸液容器１内の薬液Ｍが外部に洩れるのを更に確実に防止することが可能となる。
【００２１】
また本実施形態においては、口栓体３に前記のような残留部３１を残して案内筒体７を埋設したので、穿刺針６を口栓体３から引き抜した後は、その弾性復元力で、穿刺針６によって口栓体３に形成された孔が、ほぼ閉塞されると共に、口栓体３の弾性復元力によって上記閉止片７１・７２が互いに閉じる方向に付勢されるので、より確実に薬液Ｍの洩れを防ぐことができるものである。
【００２２】
なお上記実施形態は、上記のように残留部３１を残して案内筒体７を埋設したが、必ずしも上記の残留部３１を残さなくてもよく、例えば口栓体３をその厚さ方向に貫通させた状態で上記案内筒体７を埋設するようにしてもよい。
【００２３】
【発明の効果】
以上のように本発明による輸液装置は、口栓体３内に穿刺針挿入ガイド用の案内筒体７を、その一端側の開口部７０が外部に露出した状態で埋設させると共に、その案内筒体７の上記開口部７０と反対側の端部に、くちばし状の一対の閉止片７１・７２を上記案内筒体と一体に設けたから、例えば輸液容器１内に薬液を注入するための穿刺針６を口栓体３に穿刺する際に、上記案内筒体７をガイドにして穿刺針６を容易に挿入することができると共に、穿刺針６を口栓体３から引き抜いたときには、上記くちばし状の一対の閉止片７１・７２が弾性復元力で元の閉じた状態に復帰すると共に、輸液容器１内に注入した薬液Ｍの圧力で上記閉止片が閉じた状態に保持され、輸液容器１内に注入した薬液Ｍが不用意に洩れるのを良好に防止できるものである。また閉止片７１・７２の先端を、互いに食い違い状に、かつ案内筒体７の軸線方向と平行な方向において一部が互いに重なり合うように構成すると、輸液容器１内の薬液の圧力で上記閉止片を更に良好に閉止状態に保持させることが可能となり、輸液容器１内の薬液が洩れるのを更に確実に防ぐことができるものである。
【図面の簡単な説明】
【図１】（ａ）は本発明による輸液装置の一実施形態を示す要部の縦断正面図。
（ｂ）はその平面図。
【図２】（ａ）〜（ｃ）は案内筒体７の平面図、縦断面図および底面図。
【図３】（ａ）は口栓体に穿刺針を穿刺する状態の要部の縦断面図。
（ｂ）は口栓体に穿刺針を穿刺した状態の同上図。
【図４】口栓体から穿刺針を引き抜いた状態の要部の拡大縦断面図。
【図５】従来の輸液装置の一例を示す一部縦断正面図。
【符号の説明】
１　輸液容器
２　口部
３　口栓体
３１　肉薄残留部
４　剥離用カバー
５　輸液チューブ
６　穿刺針
７　案内筒体
７０　開口部
７１、７２　閉止片
７３　フランジ部
７４　穿刺針抜け止め係止用突部
Ｍ　薬液
【図１】
2004049598.tif 000003
【図２】
2004049598.tif 000004
【図３】
2004049598.tif 000005
【図４】
2004049598.tif 000006
【図５】
2004049598.tif 000007